(57)【特許請求の範囲】
【請求項１】
フレームと、前記フレームに搭載されて通気性および吸水性を有するシートと、前記フレームに搭載されて前記シートに浸み込ませる液体であって前記シートをつたって流れ落ちた前記液体を溜める下タンクとを備え、前記シートに浸み込んだ前記液体の気化熱によって空気を冷気にし、風によって屋外の空気を前記シートを通して屋内に導入することによって前記冷気を屋内に吹き込ませる冷房装置であって、
前記フレームは、窓枠のレールに取り付けられるレール取付部を有し、
前記下タンクは、前記レール取付部が前記レールに取り付けられたときに前記シートに対して前記屋内側になる位置に、内部を露出させる開口が形成されていることを特徴とする冷房装置。
【発明の詳細な説明】
【技術分野】
【０００１】
本発明は、屋内を涼しくするための冷房装置に関する。
【背景技術】
【０００２】
従来の冷房装置として、内部に水蒸発部材を収納して側面に複数の蒸散孔が設けられた筒体を複数離間して配置することによって、水蒸発部材での水の気化熱によって冷気を生成して、生成した冷気を屋内に吹き込ませて屋内を涼しくする日除け構造体が知られている（例えば、特許文献１参照。）。
【特許文献１】特開２００３−１３９４５２号公報
【発明の開示】
【発明が解決しようとする課題】
【０００３】
しかしながら、前記従来の日除け構造体は、簾に代えて使用されるものであるので、窓付近に立て掛けられたり吊るされたりしても窓枠との間に隙間があるため、生成した冷気が屋内に流れるだけではなく前記隙間から屋外側にも逃げてしまう。したがって、前記従来の日除け構造体は、生成した冷気を効率よく屋内に吹き込ませることができないという問題がある。
【０００４】
本発明は、前記従来の問題を解決するためになされたもので、生成した冷気を従来より効率よく屋内に吹き込ませることができる冷房装置を提供することを目的とする。
【課題を解決するための手段】
【０００５】
本発明の冷房装置は、フレームと、前記フレームに搭載されて通気性および吸水性を有するシートと、前記フレームに搭載されて前記シートに浸み込ませる液体であって前記シートをつたって流れ落ちた前記液体を溜める下タンクとを備え、前記シートに浸み込んだ前記液体の気化熱によって空気を冷気にし、風によって屋外の空気を前記シートを通して屋内に導入することによって前記冷気を屋内に吹き込ませる冷房装置であって、前記フレームは、窓枠のレールに取り付けられるレール取付部を有し、前記下タンクは、前記レール取付部が前記レールに取り付けられたときに前記シートに対して前記屋内側になる位置に、内部を露出させる開口が形成されていることを特徴とする。
【０００６】
この構成により、本発明の冷房装置は、窓枠のレールに取り付けられるので、窓のうち開いている部分を従来より隙間なく覆うことができ、生成した冷気が屋外に逃げることを従来より抑えることができる。したがって、本発明の冷房装置は、生成した冷気を従来より効率よく屋内に吹き込ませることができる。
【０００７】
本発明の冷房装置は、自然の風と、液体の気化熱とを利用した冷房であるので、強い風を受けたときに高い冷房能力が発揮される。ここで、前記従来の日除け構造体も、自然の風と、水の気化熱とを利用した冷房であるが、強い風を受けたときに姿勢が安定せず十分な冷房能力が発揮できない場合がある。すなわち、前記従来の日除け構造体は、窓付近に立て掛けられて設置される場合には、強い風を受けたときに倒れ易い。特に、前記従来の日除け構造体は、上部の給水槽に多量の水が貯められているときには、上部が重くなるので、強い風を受けたときに倒れ易い。前記従来の日除け構造体は、倒れた場合には冷房能力が発揮できない。また、前記従来の日除け構造体は、窓付近に吊るされて設置される場合には、強い風を受けて揺れ動き、窓枠との間の隙間が広がって冷気が屋外に逃げるため十分な冷房能力が発揮できない可能性がある。しかしながら、本発明の冷房装置は、窓枠のレールに取り付けられるので、強い風を受けたとしても姿勢が安定しており、強い風によって高い冷房能力を発揮することができる。
【０００８】
前記従来の日除け構造体は、水蒸発部材での水の気化熱によって生成された冷気を屋内に吹き込ませるために、冷気を生成する水蒸発部材とは別の箇所、すなわち複数の筒体の間に、間隔が設けられている必要がある。しかしながら、本発明の冷房装置は、通気性および吸水性を有するシートを備えており、シートに浸み込んだ液体の気化熱によって空気を冷気にし、シートを通して屋外の空気を屋内に導入することによって冷気を屋内に吹き込ませるので、前記従来の日除け構造体の前記間隔のように冷気を生成する部分とは別の箇所に空気の通路を確保する必要がない。したがって、本発明の冷房装置は、冷気を生成する部分の面積を従来より拡大することができ、それによって冷房能力を従来より向上することができる。
【発明の効果】
【００１５】
本発明によれば、生成した冷気を従来より効率よく屋内に吹き込ませることができる冷房装置を提供することができる。
【発明を実施するための最良の形態】
【００１６】
以下、本発明の一実施の形態について、図面を用いて説明する。
【００１７】
まず、本実施の形態に係る冷房装置の構成について説明する。
【００１８】
図１は、本実施の形態に係る冷房装置１０の背面側から見た斜視図である。図２〜図４は、それぞれ冷房装置１０の正面図、左側面図、背面図である。図５は、図２のＡ−Ａ矢視断面図のうち上タンク４０の近傍の図である。図６は、図２のＡ−Ａ矢視断面図のうち下タンク５０の近傍の図である。図７は、図２のＢ−Ｂ矢視断面図である。
【００１９】
図１〜図４に示すように、冷房装置１０は、アルミ製のフレーム２０と、通気性および吸水性を有するシートであってそれぞれ正面側、左側面側、右側面側に配置された綿製のガーゼ３１〜３３と、ガーゼ３１〜３３に浸み込ませる液体であってガーゼ３１〜３３をつたって流れ落ちる水９０（図５参照。）を溜めるアルミ製またはＦＲＰ（Ｆｉｂｅｒ  Ｒｅｉｎｆｏｒｃｅｄ  Ｐｌａｓｔｉｃｓ）製の上タンク４０と、ガーゼ３１〜３３に浸み込ませる液体であってガーゼ３１〜３３をつたって流れ落ちた水９０（図６参照。）を溜めるアルミ製またはＦＲＰ製の下タンク５０と、水９０を下タンク５０から上タンク４０に上げるポンプ６０（図７参照。）と、下タンク５０への水９０の補給の必要性を使用者に通知する赤色ランプ７０と、ポンプ６０および赤色ランプ７０に電力を供給する電源８０（図７参照。）とを備えている。
【００２０】
フレーム２０は、上タンク４０の上部にボルト８１などで固定されて窓枠の網戸用のレールのうち上側のレールに取り付けられるレール取付部としての上枠２１と、下タンク５０の下部にボルト８２などで固定されて窓枠の網戸用のレールのうち下側のレールに取り付けられるレール取付部としての下枠２２と、左側面側に配置されて図示していないボルトなどで上枠２１、下枠２２、上タンク４０および下タンク５０に取り付けられたサイドカバー２３と、右側面側に配置されて図示していないボルトなどで上枠２１、下枠２２、上タンク４０および下タンク５０に取り付けられたサイドカバー２４と、図示していないボルトなどで上タンク４０および下タンク５０に取り付けられてサイドカバー２３とともにガーゼ３１をガイドする柱部材２５と、図示していないボルトなどで上タンク４０および下タンク５０に取り付けられてサイドカバー２４とともにガーゼ３３をガイドする柱部材２６と、上枠２１、下枠２２およびサイドカバー２３にボルト８３で固定された弓状の取っ手２７と、上枠２１、下枠２２およびサイドカバー２４にボルト８４で固定された弓状の取っ手２８と、下枠２２および下タンク５０にボルト８５で取り付けられて下タンク５０を支持する４つの支持具２９とを有している。
【００２１】
上枠２１は、窓枠の網戸用のレールのうち上側のレールを入れる溝２１ａが形成されている。下枠２２は、窓枠の網戸用のレールのうち下側のレールを入れる溝２２ａが形成されている。
【００２２】
図５および図６に示すように、柱部材２６には、ガーゼ３１の幅方向の端のうち柱部材２６側の端が挿入される溝２６ａが柱部材２６の延在方向の全体に形成されている。ガーゼ３１は、幅方向の端のうち柱部材２６側の端が柱部材２６に形成された溝２６ａに挿入され、後から溝２６ａに圧入された木材２６ｂによって柱部材２６に固定される。ここで、木材２６ｂは、溝２６ａに圧入されることによってガーゼ３１を溝２６ａに固定できる他の部材、例えば、コルク、段ボール、ゴムなどで代用されても良い。同様に、ガーゼ３１は、幅方向の端のうち柱部材２５側の端が柱部材２５の図示していない溝に固定されている。ガーゼ３２は、幅方向の端のうちサイドカバー２３側の端がサイドカバー２３の図示していない溝に固定されていて、幅方向の端のうち柱部材２５側の端が柱部材２５の図示していない溝に固定されている。ガーゼ３３は、幅方向の端のうちサイドカバー２４側の端がサイドカバー２４の図示していない溝に固定されていて、幅方向の端のうち柱部材２６側の端が柱部材２６の図示していない溝に固定されている。ここで、ガーゼ３１は、柱部材２５、２６、上タンク４０および下タンク５０に囲まれた部分であって空気に曝されて水９０の気化熱によって冷気を生成する冷気生成部分３１ａが鉛直方向に対して傾いて柱部材２５、２６に固定されている。ガーゼ３２は、サイドカバー２３、柱部材２５、上タンク４０および下タンク５０に囲まれた部分であって空気に曝されて水９０の気化熱によって冷気を生成する冷気生成部分３２ａが鉛直方向に対して傾いてサイドカバー２３および柱部材２５に固定されている。ガーゼ３３は、サイドカバー２４、柱部材２６、上タンク４０および下タンク５０に囲まれた部分であって空気に曝されて水９０の気化熱によって冷気を生成する冷気生成部分３３ａが鉛直方向に対して傾いてサイドカバー２４および柱部材２６に固定されている。
【００２３】
図５に示すように、上タンク４０は、ガーゼ３１を通すために幅方向（図５において紙面に直交する方向）に延在している長穴４０ａと、長穴４０ａの近傍に幅方向に複数配置された長穴４０ｂとが底面に形成されている。長穴４０ａは、ガーゼ３１が通された状態で木栓４１によって塞がれている。なお、長穴４０ａは、木栓４１以外の部材によって塞がれるようになっていても良い。例えば、長穴４０ａは、竹ひごによって塞がれるようになっていても良い。長穴４０ｂは、スポンジ４２が圧入されている。スポンジ４２は、上部で上タンク４０内の水９０が浸み込むようになっており、下端で上タンク４０の外部のガーゼ３１に接触することによって、上タンク４０内の水９０をガーゼ３１に供給するようになっている。また、上タンク４０は、幅方向に延在されてガーゼ３１を引っ掛ける支持棒４３、４４と、幅方向に延在されてガーゼ３１の上端を固定する固定棒４５とを有している。固定棒４５は、幅方向に延在している溝４５ａが形成された外棒４５ｂと、ガーゼ３１を巻き込んだ状態で外棒４５ｂの溝４５ａに圧入されることによって外棒４５ｂとともにガーゼ３１の上端を固定する内棒４５ｃとを有している。スポンジ４２は、上端に切り欠き４２ａが形成されており、切り欠き４２ａ内に支持棒４４が配置されることによって上端でガーゼ３１に密着している。また、スポンジ４２は、下端がガーゼ３１の傾きに合わせて傾斜させられている。以上においては、ガーゼ３１に関係する上タンク４０の構造について説明したが、ガーゼ３２、３３に対する上タンク４０の構造についても同様である。
【００２４】
図６に示すように、下タンク５０は、幅方向（図６において紙面に直交する方向）に延在されてガーゼ３１を引っ掛ける支持棒５１と、幅方向に延在されてガーゼ３１の下端を固定する固定棒５２とを有している。固定棒５２の構造は、上述した固定棒４５の構造と同様である。以上においては、ガーゼ３１に関係する下タンク５０の構造について説明したが、ガーゼ３２、３３に対する下タンク５０の構造についても同様である。また、下タンク５０は、上枠２１および下枠２２がレール１００ａ、１００ｂ（図９参照。）に取り付けられたときにガーゼ３１、３２、３３に対して屋内１１０（図８参照。）側になる位置に、内部を露出させる開口５０ａ（図１、図６参照。）が形成されている。
【００２５】
図５および図７に示すように、ポンプ６０は、上タンク４０内の上部に固定されており、電源８０から図示していない導線を介して電力が供給されるようになっている。ポンプ６０は、下タンク５０に貯められた水９０を吸い上げるためのホース６１、６２と、吸い上げた水９０を上タンク４０に導入するためのホース６３とを有している。ホース６１、６２は、上タンク４０の背面の上部に形成された穴４０ｃ、４０ｄを通されて上タンク４０の外部に出されて、それぞれサイドカバー２３、２４に沿わされて下タンク５０の内部に伸ばされている。ポンプ６０は、上タンク４０に設置された図示していない水位センサによって上タンク４０内の水９０の水位が所定の水位を下回ったことが検出されると、ホース６１、６２を介して下タンク５０内の水９０を吸い上げてホース６３を介して上タンク４０内に導入するようになっている。
【００２６】
図１に示すように、赤色ランプ７０は、サイドカバー２３に設置されており、電源８０（図７参照。）から図示していない導線を介して電力が供給されるようになっている。赤色ランプ７０は、下タンク５０に設置された図示していない水位センサによって下タンク５０内の水９０の水位が所定の水位を下回ったことが検出されると、点灯することによって使用者に下タンク５０への水９０の補給を促すようになっている。ここで、赤色ランプ７０は、下タンク５０内の水９０の水位がガーゼ３１〜３３の下端より下回る前に点灯するようになっている。すなわち、ガーゼ３１〜３３は、下タンク５０に溜められた水９０に下端が浸かる位置に配置されている。
【００２７】
図７に示す電源８０は、乾電池であり、上タンク４０内の上部に固定されている。なお、電源８０は、乾電池以外であっても良い。例えば、電源８０は、上タンク４０の外部に設置した太陽電池であっても良い。
【００２８】
次に、冷房装置１０の設置について説明する。
【００２９】
図８、図９は、それぞれ窓枠１００に設置された冷房装置１０の平面図、正面図である。
【００３０】
まず、図８に示すように、窓１０１、１０２は、窓枠１００の幅方向の一方側に寄せられる。これによって、窓枠１００の幅方向の他方側の空間（以下、「開口１００ｃ」という。）が開く。
【００３１】
次いで、屋内１１０にいる使用者は、屋外１２０にある冷房装置１０の取っ手２７、２８を窓枠１００の開口１００ｃを介して掴むことによって、冷房装置１０を持つ。
【００３２】
そして、使用者は、図９に示すように、窓枠１００の網戸用のレールのうち上側のレール１００ａを上枠２１の溝２１ａ（図１参照。）内に入れ、窓枠１００の網戸用のレールのうち下側のレール１００ｂを下枠２２の溝２２ａ（図１参照。）内に入れることによって、窓枠１００に冷房装置１０を設置する。
【００３３】
次に、冷房装置１０の動作について説明する。
【００３４】
使用者は、屋内１１０から窓枠１００の開口１００ｃを介して下タンク５０内に水９０を補給する。ここで、冷房装置１０は、下タンク５０内の水９０の水位が所定の水位を下回っているとき、下タンク５０に設置された水位センサの検出によって赤色ランプ７０を点灯させることによって、使用者に下タンク５０への水９０の補給を促すようになっている。
【００３５】
また、冷房装置１０は、上タンク４０内の水９０の水位が所定の水位を下回っているとき、上タンク４０に設置された水位センサの検出によってポンプ６０にホース６１、６２を介して下タンク５０から水９０を吸い上げさせ、吸い上げさせた水９０をホース６３を介して上タンク４０に導入させる。
【００３６】
したがって、冷房装置１０は、上タンク４０および下タンク５０に常に適切な量の水９０が貯められている状態に維持することができる。
【００３７】
上タンク４０内の水９０は、スポンジ４２を介してガーゼ３１に供給されるとともに、長穴４０ａおよび木栓４１の隙間を介してもガーゼ３１に供給される。また、下タンク５０内の水９０は、ガーゼ３１の吸水性によってガーゼ３１をつたって吸い上げられる。ガーゼ３１について説明したが、ガーゼ３２、３３についても同様に、上タンク４０および下タンク５０から水９０が供給される。
【００３８】
そして、ガーゼ３１〜３３の冷気生成部分３１ａ〜３３ａの近傍の空気は、ガーゼ３１〜３３に浸み込んだ水９０の気化熱によって冷気にされる。また、屋外１２０の空気は、風によってガーゼ３１〜３３を通して屋内１１０に導入される。したがって、ガーゼ３１〜３３の冷気生成部分３１ａ〜３３ａによって生成された冷気は、屋内１１０に吹き込む。
【００３９】
なお、ガーゼ３１〜３３に供給された水９０のうち気化できなかった水は、ガーゼ３１〜３３をつたって下タンク５０に戻る。
【００４０】
以上に説明したように、冷房装置１０は、窓枠１００の網戸用のレール１００ａ、１００ｂに取り付けられるので、窓のうち開いている部分、すなわち窓枠１００の開口１００ｃを従来より隙間なく覆うことができ、生成した冷気が屋外１２０に逃げることを従来より抑えることができる。したがって、冷房装置１０は、生成した冷気を従来より効率よく屋内１１０に吹き込ませることができる。
【００４１】
冷房装置１０は、自然の風と、水９０の気化熱とを利用した冷房であるので、強い風を受けたときに高い冷房能力が発揮される。ここで、前記従来の日除け構造体も、自然の風と、水の気化熱とを利用した冷房であるが、強い風を受けたときに姿勢が安定せず十分な冷房能力が発揮できない場合がある。すなわち、前記従来の日除け構造体は、窓付近に立て掛けられて設置される場合には、強い風を受けたときに倒れ易い。特に、前記従来の日除け構造体は、上部の給水槽に多量の水が貯められているときには、上部が重くなるので、強い風を受けたときに倒れ易い。前記従来の日除け構造体は、倒れた場合には冷房能力が発揮できない。また、前記従来の日除け構造体は、窓付近に吊るされて設置される場合には、強い風を受けて揺れ動き、窓枠との間の隙間が広がって冷気が屋外に逃げるため十分な冷房能力が発揮できない可能性がある。しかしながら、冷房装置１０は、窓枠１００のレール１００ａ、１００ｂに取り付けられるので、強い風を受けたとしても姿勢が安定しており、強い風によって高い冷房能力を発揮することができる。
【００４２】
前記従来の日除け構造体は、水蒸発部材での水の気化熱によって生成された冷気を屋内１１０に吹き込ませるために、冷気を生成する水蒸発部材とは別の箇所、すなわち複数の筒体の間に、間隔が設けられている必要がある。しかしながら、冷房装置１０は、通気性および吸水性を有するガーゼ３１〜３３を備えており、ガーゼ３１〜３３に浸み込んだ水９０の気化熱によって空気を冷気にし、風によって屋外１２０の空気をガーゼ３１〜３３を通して屋内１１０に導入することによって冷気を屋内１１０に吹き込ませるので、前記従来の日除け構造体の前記間隔のように冷気を生成する部分とは別の箇所に空気の通路を確保する必要がない。したがって、冷房装置１０は、冷気を生成する部分の面積を従来より拡大することができ、それによって冷房能力を従来より向上することができる。
【００４３】
冷房装置１０は、窓枠１００の網戸用のレール１００ａ、１００ｂに取り付けることによって、窓枠１００から窓１０１、１０２を取り外さないで使用することができる。なお、図１０に示すように、窓枠１００に網戸１０３が付いている場合であっても、網戸１０３を窓１０１、１０２側に寄せることによって、窓枠１００から網戸１０３を外さずに冷房装置１０を設置することができる。
【００４４】
サイドカバー２４は、本実施の形態において側面が平らであるが、窓枠１００の縦枠１００ｄのうち開口１００ｃ側の部分に突起１００ｅが設けられている場合には、図１１に示すように窓枠１００の縦枠１００ｄの突起１００ｅと嵌合する溝２４ａが側面に設けられていても良い。この構成によって、冷房装置１０は、サイドカバー２４と窓枠１００との密閉性が向上するので、冷房能力を向上することができる。サイドカバー２４について説明したが、サイドカバー２３についても同様である。
【００４５】
冷房装置１０は、正面、左側面および右側面の３面がガーゼで覆われているので、３方向からの風を受けることができ、１方向からの風のみを受けることができる構成と比較して、冷房能力を向上することができる。
【００４６】
もちろん、冷房装置１０は、１面のみがガーゼで覆われている構造であっても良い。
【００４７】
冷房装置１０は、ガーゼ３１〜３３の冷気生成部分３１ａ〜３３ａが鉛直方向に対して傾いているので、ガーゼ３１〜３３の冷気生成部分３１ａ〜３３ａの全部が鉛直方向に配置されている構成と比較して、ガーゼ３１〜３３の冷気生成部分３１ａ〜３３ａに浸み込んだ水９０が重力によってガーゼ３１〜３３の冷気生成部分３１ａ〜３３ａをつたって流れ落ちる速度を遅らせることができる。したがって、冷房装置１０は、水９０がガーゼ３１〜３３の冷気生成部分３１ａ〜３３ａに浸み込んでいる時間を増すことができ、冷房能力を向上させることができる。
【００４８】
なお、ガーゼ３１〜３３は、冷気生成部分３１ａ〜３３ａの全体が鉛直方向に対して傾いているが、冷気生成部分３１ａ〜３３ａの一部分が鉛直方向に対して傾いていても良い。
【００４９】
また、冷房装置１０は、ガーゼ３１〜３３の冷気生成部分３１ａ〜３３ａの全部が鉛直方向に対して傾いているが、ガーゼ３１〜３３の冷気生成部分３１ａ〜３３ａの何れか１つ以上または全部が鉛直方向に延在させられていても良い。
【００５０】
冷房装置１０は、ガーゼ３１〜３３に上からのみ水９０を供給する構成であるとき、例えばガーゼ３１〜３３が上下方向に非常に長い場合に、ガーゼ３１〜３３をつたって流れ落ちた水９０がガーゼ３１〜３３の下部に達するまでに気化してしまうので、ガーゼ３１〜３３の下部まで水９０が行き渡らない。一方、冷房装置１０は、ガーゼ３１〜３３に下からのみ水９０を供給する構成であるとき、例えばガーゼ３１〜３３が上下方向に非常に長い場合に、ガーゼ３１〜３３の吸水力のみによってはガーゼ３１〜３３をつたって吸い上げられた水９０がガーゼ３１〜３３の上部に達することができないので、ガーゼ３１〜３３の上部まで水９０が行き渡らない。しかしながら、冷房装置１０は、上タンク４０および下タンク５０の双方からガーゼ３１〜３３に水９０を供給することができるので、ガーゼ３１〜３３のうち水９０が浸み込んでいる部分の面積を増やすことができる。したがって、冷房装置１０は、ガーゼ３１〜３３に上および下の何れか一方からのみ水９０を供給する構成と比較して、ガーゼ３１〜３３のうち実際に冷気を生成する部分の面積を増やすことができ、冷房能力を向上させることができる。
【００５１】
冷房装置１０は、ガーゼ３１〜３３をつたって下タンク５０に流れ落ちた水９０を上タンク４０に上げるポンプ６０を有しているので、ポンプ６０が無い構成と比較して、上タンク４０の水９０が無くなるまでの時間を延長することができるので、上タンク４０からガーゼ３１〜３３に水９０を長時間供給することができ、冷房能力を長時間維持することができる。
【００５２】
もちろん、冷房装置１０は、ポンプ６０を備えておらずに、上タンク４０の水９０も下タンク５０の水９０と同様に使用者に直接補給させるようになっていても良い。
【００５３】
なお、冷房装置１０は、上タンク４０からスポンジを介してガーゼ３１〜３３に水９０が供給されるようになっているが、他の構造によって上タンク４０からガーゼ３１〜３３に水９０が供給されるようになっていても良い。たとえば、冷房装置１０は、上タンク４０の底部に微小な穴を形成し、この穴を介して上タンク４０からガーゼ３１〜３３に水９０を垂らすようになっていても良い。
【００５４】
また、冷房装置１０は、上タンク４０および下タンク５０の双方からガーゼ３１〜３３に水９０を供給するようになっているが、ガーゼ３１〜３３に上および下の何れか一方からのみ水９０を供給するようになっていても良い。
【００５５】
また、冷房装置１０は、幅および高さが固定であるが、幅および高さの少なくとも一方が可変の構造であっても良い。
【００５６】
また、冷房装置１０は、通気性および吸水性を有するシートとして綿製のガーゼを有しているが、通気性および吸水性を有するシートであれば、綿製のガーゼ以外のものを有していても良い。
【００５７】
また、冷房装置１０は、気化熱を発生させる液体として水９０を使用しているが、水以外の液体を使用するようになっていても良い。
【００５８】
また、冷房装置１０は、気化熱を発生させる水９０に香り付けをすることによって、香りが付いた冷気を屋内１１０に吹き込ませることができる。
【００５９】
また、冷房装置１０は、例えばホース６１、６２に水９０を磁化させる装置を取り付けるなどして水９０を磁化させることによって、磁化水を含んだ冷気を屋内１１０に吹き込ませることができる。
【図面の簡単な説明】
【００６０】
【図１】本発明の一実施の形態に係る冷房装置の背面側から見た斜視図である。
【図２】図１に示す冷房装置の正面図である。
【図３】図１に示す冷房装置の左側面図である。
【図４】図１に示す冷房装置の背面図である。
【図５】図２のＡ−Ａ矢視断面図のうち上タンクの近傍の図である。
【図６】図２のＡ−Ａ矢視断面図のうち下タンクの近傍の図である。
【図７】図２のＢ−Ｂ矢視断面図である。
【図８】窓枠に設置された図１に示す冷房装置の平面図である。
【図９】窓枠に設置された図１に示す冷房装置の正面図である。
【図１０】網戸が取り付けられている窓枠に設置された図１に示す冷房装置の平面図である。
【図１１】窓枠に設置された図１に示す冷房装置の平面断面図であって、窓枠の縦枠の近傍の図である。
【符号の説明】
【００６１】
１０  冷房装置
２０  フレーム
２１  上枠（レール取付部）
２２  下枠（レール取付部）
３１  ガーゼ（シート）
３１ａ  冷気生成部分（冷気を生成する部分）
３２  ガーゼ（シート）
３２ａ  冷気生成部分（冷気を生成する部分）
３３  ガーゼ（シート）
３３ａ  冷気生成部分（冷気を生成する部分）
４０  上タンク（タンク）
５０  下タンク（タンク）
５０ａ  開口
６０  ポンプ
９０  水（液体）
１００  窓枠
１００ａ、１００ｂ  レール
１１０  屋内
１２０  屋外
【要約】
【課題】  生成した冷気を従来より効率よく屋内に吹き込ませることができる冷房装置を提供する。
【解決手段】  冷房装置１０は、フレーム２０と、フレーム２０に搭載されて通気性および吸水性を有するガーゼ３１〜３３と、フレーム２０に搭載されてガーゼ３１〜３３に浸み込ませる水を溜める上タンク４０および下タンク５０とを備え、ガーゼ３１〜３３に浸み込んだ水の気化熱によって空気を冷気にし、風によって屋外の空気をガーゼ３１〜３３を通して屋内に導入することによって冷気を屋内に吹き込ませる冷房装置であって、フレーム２０は、窓枠１００のレール１００ａ、１００ｂに取り付けられる上枠２１および下枠２２を有することを特徴とする。
【選択図】  図９【図１】
0004162705.tif 000002
【図２】
0004162705.tif 000003
【図３】
0004162705.tif 000004
【図４】
0004162705.tif 000005
【図５】
0004162705.tif 000006
【図６】
0004162705.tif 000007
【図７】
0004162705.tif 000008
【図８】
0004162705.tif 000009
【図９】
0004162705.tif 000010
【図１０】
0004162705.tif 000011
【図１１】
0004162705.tif 000012